(57)【要約】【課題】フリー設計を行う場合であっても全館空調システムを容易に採用することが可能なユニット式建物の設計方法および建物ユニットの製造方法を提供することを目的とする。【解決手段】建物設計用ＣＡＤシステムに対し、予め、全館空調システムを構成する装置や部品等の構成要素を象徴するアイコンに係る情報を記憶しておくとともに、設計図における当該アイコンの配置禁止箇所を構成要素の種類ごとに設定しておき、建物設計用ＣＡＤシステムによって建物本体２および屋根３の設計図を作成した後、当該設計図上に、構成要素のアイコンをその種類ごとに配置禁止箇所以外の箇所に配置する。また、作成された設計図に従って、建物本体２を構成する複数の建物ユニット２ａを製造する。【選択図】図１
2015055123.tif 000002
【特許請求の範囲】
【請求項１】
直方体状の建物ユニットを複数組み合わせてなる建物本体と、当該建物本体の上部に設けられる屋根とを備え、かつ前記建物本体に、複数の部屋全体の空調を行うための全館空調システムを設けてなるユニット式建物を、当該ユニット式建物の設計図を作成する作業を支援する建物設計用ＣＡＤシステムによって設計するユニット式建物の設計方法であって、
前記建物設計用ＣＡＤシステムに対し、予め、前記全館空調システムを構成する装置や部品等の構成要素を象徴するアイコンに係る情報を記憶しておくとともに、前記設計図における当該アイコンの配置禁止箇所を前記構成要素の種類ごとに設定しておき、
前記建物設計用ＣＡＤシステムによって前記建物本体および前記屋根の設計図を作成した後、当該設計図上に、前記構成要素のアイコンをその種類ごとに前記配置禁止箇所以外の箇所に配置することを特徴とするユニット式建物の設計方法。
【請求項２】
請求項１に記載のユニット式建物の設計方法において、
前記全館空調システムは、前記構成要素として、
空気調整機能を有し、かつ調整された空気を循環させる室内機と、
空気の循環経路における吸気側に位置し、かつ前記部屋に露出するリターンガラリと、
空気の循環経路における給気側に位置し、かつ前記部屋に露出する吹出口、および、前記室内機と当該吹出口とを接続する給気ダクトを配置するためのダクトスペースと、
前記室内機によって調整された空気を分岐させる分岐チャンバーと、
外気との熱交換を行い、かつ前記室内機と接続される室外機と、
前記部屋内の壁に設置されるリモコンと、
前記室内機と前記室外機とを接続する冷媒管等を配置するためのパイプスペースと、
前記屋根の小屋裏空間に出入りするための点検口と、を有することを特徴とするユニット式建物の設計方法。
【請求項３】
請求項１または２に記載のユニット式建物の設計方法において、
前記配置禁止箇所は、前記設計図上に表示されないように設定されていることを特徴とするユニット式建物の設計方法。
【請求項４】
請求項３に記載のユニット式建物の設計方法において、
前記建物設計用ＣＡＤシステムは、前記構成要素のアイコンを前記配置禁止箇所に配置した際に、前記設計図上に、前記アイコンの配置の禁止を示すマークを表示する禁止マーク表示手段を備えており、
前記構成要素のアイコンを前記設計図上に配置するにあたり、前記禁止マーク表示手段によって前記設計図上に前記マークが表示された場合に、前記アイコンを、前記配置禁止箇所以外の箇所に配置することを特徴とするユニット式建物の設計方法。
【請求項５】
請求項１〜４のいずれか一項に記載のユニット式建物の設計方法によって設計された設計図に従って、前記建物本体を構成する前記複数の建物ユニットを製造する建物ユニットの製造方法であって、
前記構成要素のうち、前記建物ユニットに対して予め取付可能なものを、当該建物ユニットに対して予め取り付けておき、
前記構成要素のうち、前記建物ユニットに対して予め取付不可能なものを、当該建物ユニットの内部に収納するようにして予め提供しておくことを特徴とする建物ユニットの製造方法。
【発明の詳細な説明】
【技術分野】
【０００１】
本発明は、全館空調システムを含むユニット式建物の設計方法および建物ユニットの製造方法に関する。
【背景技術】
【０００２】
近年、工業化率を高めて建設現場での施工期間を短縮するために、直方体形状の建物ユニットを予め工場で製造し、これらを建設現場で複数組み合わせて建物を構築するユニット工法が用いられている。建物ユニットは、直方体形状の骨組みを有し、この骨組みは、四隅に立設された柱と、これらの柱の上端間を連結する短辺天井梁および長辺天井梁と、四本の柱の下端間を連結する短辺床梁および長辺床梁とを備えている。この骨組みには、天井面材、床面材、外壁材、間仕切壁等の各種部品が予め工場等で組み付けられ、その状態で現場に輸送される。
このような建物ユニットを用いたユニット式建物によれば、各種部品が組み付けられた状態の建物ユニットを工場で製造するので、建設現場での作業が軽減され、高品質の建物を短期間で構築できるという利点がある。
【０００３】
ユニット式建物の利点を確保するために、顧客に提供する商品（ユニット式建物）を既製品化し、これにより、設計および製造すべき商品の種類を限定し、設計作業および製造作業の高効率化を図っていたが、これでは、顧客の多様な要望に十分対応することが困難となる。そこで、一般的な注文建築と同様に顧客の要求に応じてユニット式建物を一つずつ設計しても設計作業を効率よく行えるように、設計作業を支援するＣＡＤシステムが利用されている（特許文献１参照）。
【先行技術文献】
【特許文献】
【０００４】
【特許文献１】特開平０８−１４７３５０号公報
【発明の概要】
【発明が解決しようとする課題】
【０００５】
ところで、上述のようなユニット式建物に、当該建物内に配設される複数の部屋全体を１台の空調機で効率よく冷暖房や吸排気を行うことが可能な全館空調システムを採用する場合がある。ところが、上述のように顧客の要求に応じてユニット式建物を一つずつ設計する場合（以下、フリー設計と称す）には、全館空調システムを構成する装置や部品等の配置も建物ごとに異なるため、設計が困難となる場合があった。
また、工場等で全館空調システムを構成する装置や部品等の構成要素を建物ユニットに組み付ける場合において、建物ユニットの製造効率を考慮すると、各構成要素の組み付け位置を予め判明させておきたいという要望があった。
換言すれば、フリー設計を行う場合に、ユニット式建物の設計や建物ユニットの製造を考慮すると、全館空調システムを採用しにくいという問題があった。
【０００６】
本発明の課題は、フリー設計を行う場合であっても全館空調システムを容易に採用することが可能なユニット式建物の設計方法および建物ユニットの製造方法を提供することを目的とする。
【課題を解決するための手段】
【０００７】
請求項１に記載の発明は、例えば図１〜図２２に示すように、直方体状の建物ユニット２ａを複数組み合わせてなる建物本体２と、当該建物本体２の上部に設けられる屋根３とを備え、かつ前記建物本体２に、複数の部屋（例えば居室１０等）全体の空調を行うための全館空調システムを設けてなるユニット式建物１を、当該ユニット式建物１の設計図を作成する作業を支援する建物設計用ＣＡＤシステムによって設計するユニット式建物１の設計方法であって、
前記建物設計用ＣＡＤシステムに対し、予め、前記全館空調システムを構成する装置や部品等の構成要素（例えば室内機３１、リターンガラリ３２）を象徴するアイコン（例えば室内機アイコンＩＣ１、リターンガラリアイコンＩＣ２等）に係る情報を記憶しておくとともに、前記設計図における当該アイコンの配置禁止箇所（例えば配置禁止箇所Ａ１等）を前記構成要素の種類ごとに設定しておき、
前記建物設計用ＣＡＤシステムによって前記建物本体２および前記屋根３の設計図を作成した後、当該設計図上に、前記構成要素のアイコンをその種類ごとに前記配置禁止箇所以外の箇所に配置することを特徴とする。
【０００８】
請求項１に記載の発明によれば、前記建物設計用ＣＡＤシステムによって前記建物本体２および前記屋根３の設計図を作成した後、当該設計図上に、前記構成要素（例えば室内機３１、リターンガラリ３２）のアイコン（例えば室内機アイコンＩＣ１、リターンガラリアイコンＩＣ２等）をその種類ごとに前記配置禁止箇所（例えば配置禁止箇所Ａ１等）以外の箇所に配置するだけで、前記全館空調システムの前記構成要素を、前記設計図上の適切な位置に配置することができる。これによって、フリー設計が行われる各々の建物１ごとに前記全館空調システムの前記構成要素の配置を考慮した設計を行うことができる。
また、設計段階において、前記構成要素を前記建物ユニット２ａのどこの位置に組み付ければよいかを予め判明させておくことができるので、工場等では前記構成要素の前記建物ユニット２ａへの組み付け位置を判明させる必要はない。これによって、前記構成要素を、前記建物ユニット２ａのうちの当該組み付け位置に、特に迷うことなく容易に組み付けることができる。
したがって、フリー設計を行う場合であっても前記全館空調システムを容易に採用することが可能となる。
【０００９】
請求項２に記載の発明は、例えば図１〜図２２に示すように、請求項１に記載のユニット式建物１の設計方法において、
前記全館空調システムは、前記構成要素として、
空気調整機能を有し、かつ調整された空気を循環させる室内機３１と、
空気の循環経路における吸気側に位置し、かつ前記部屋（例えば居室１０等）に露出するリターンガラリ３２と、
空気の循環経路における給気側に位置し、かつ前記部屋に露出する吹出口３３、および、前記室内機３１と当該吹出口３３とを接続する給気ダクト３４ａを配置するためのダクトスペース３４と、
前記室内機３１によって調整された空気を分岐させる分岐チャンバー３５と、
外気との熱交換を行い、かつ前記室内機３１と接続される室外機３６と、
前記部屋内の壁（例えば内壁２３）に設置されるリモコン３７ａ，３７ｂと、
前記室内機３１と前記室外機３６とを接続する冷媒管等を配置するためのパイプスペース３８と、
前記屋根３の小屋裏空間３ｄに出入りするための点検口３９と、を有することを特徴とする。
【００１０】
請求項２に記載の発明によれば、前記全館空調システムは、前記構成要素として、前記室内機３１と、前記リターンガラリ３２と、前記吹出口３３および前記ダクトスペース３４と、前記分岐チャンバー３５と、前記室外機３６と、前記リモコン３７ａ，３７ｂと、前記パイプスペース３８と、前記点検口３９と、を有するので、フリー設計で前記建物本体２および前記屋根３の設計を行う際に、当該各構成要素の配置を考慮した設計を行うことができる。したがって、フリー設計を行う場合であっても前記全館空調システムを容易に採用することが可能となる。
【００１１】
請求項３に記載の発明は、例えば図１〜図３に示すように、請求項１または２に記載のユニット式建物１の設計方法において、
前記配置禁止箇所（例えば配置禁止箇所Ａ１等）は、前記設計図上に表示されないように設定されていることを特徴とするユニット式建物１の設計方法。
【００１２】
請求項３に記載の発明によれば、前記配置禁止箇所（例えば配置禁止箇所Ａ１等）が、前記設計図上に表示されないように設定されているので、前記構成要素（例えば室内機３１、リターンガラリ３２等）のアイコン（例えば室内機アイコンＩＣ１、リターンガラリアイコンＩＣ２等）を前記設計図上に配置する際に、当該配置禁止箇所がその障害とならない。すなわち、前記配置禁止箇所が表示されることによって前記設計図が見えにくくなることがないので、前記構成要素のアイコンを前記設計図上に配置しやすくなる。
【００１３】
請求項４に記載の発明は、請求項３に記載のユニット式建物１の設計方法において、
前記建物設計用ＣＡＤシステムは、前記構成要素（例えば室内機３１、リターンガラリ３２等）のアイコン（例えば室内機アイコンＩＣ１、リターンガラリアイコンＩＣ２等）を前記配置禁止箇所（例えば配置禁止箇所Ａ１等）に配置した際に、前記設計図上に、前記アイコンの配置の禁止を示すマークを表示する禁止マーク表示手段を備えており、
前記構成要素のアイコンを前記設計図上に配置するにあたり、前記禁止マーク表示手段によって前記設計図上に前記マークが表示された場合に、前記アイコンを、前記配置禁止箇所以外の箇所に配置することを特徴とする。
【００１４】
請求項４に記載の発明によれば、前記構成要素（例えば室内機３１、リターンガラリ３２等）のアイコン（例えば室内機アイコンＩＣ１、リターンガラリアイコンＩＣ２等）を前記設計図上に配置するにあたり、前記禁止マーク表示手段によって前記設計図上に前記マークが表示された場合に、前記アイコンを、前記配置禁止箇所（例えば配置禁止箇所Ａ１等）以外の箇所に配置するので、前記設計図上に前記配置禁止箇所が表示されていない場合であっても、当該配置禁止箇所であることを認識することができる。これによって、前記構成要素のアイコンを前記設計図上の適切な位置に配置することができる。
【００１５】
請求項５に記載の発明は、請求項１〜４のいずれか一項に記載のユニット式建物１の設計方法によって設計された設計図に従って、前記建物本体２を構成する前記複数の建物ユニット２ａを製造する建物ユニット２ａの製造方法であって、
前記構成要素（例えば室内機３１、リターンガラリ３２等）のうち、前記建物ユニット２ａに対して予め取付可能なものを、当該建物ユニット２ａに対して予め取り付けておき、
前記構成要素（例えば室内機３１、リターンガラリ３２等）のうち、前記建物ユニット２ａに対して予め取付不可能なものを、当該建物ユニット２ａの内部に収納するようにして予め提供しておくことを特徴とする。
【００１６】
請求項５に記載の発明によれば、前記構成要素（例えば室内機３１、リターンガラリ３２等）のうち、前記建物ユニット２ａに対して予め取付可能なものを、当該建物ユニット２ａに対して予め取り付けておくので、前記ユニット式建物１を施工する際に、現場での施工手間を省略することができる。
また、前記構成要素（例えば室内機３１、リターンガラリ３２等）のうち、前記建物ユニット２ａに対して予め取付不可能なものを、当該建物ユニット２ａの内部に収納するようにして予め提供しておくので、前記ユニット式建物１を施工する際に、現場での施工手間を極力省略することができる。すなわち、前記建物ユニット２ａと前記予め取付不可能なものとを同時に輸送することができるとともに、現場では、前記予め取付不可能なものを取り出して前記建物ユニット２ａに取り付けるだけで済むので、現場での施工手間を極力省略することが可能となる。
【発明の効果】
【００１７】
本発明によれば、フリー設計を行う場合であっても全館空調システムを容易に採用することが可能となる。
【図面の簡単な説明】
【００１８】
【図１】全館空調システムを構成する各種構成要素のアイコンが配置されたユニット式建物の平面図である。
【図２】建物設計用ＣＡＤシステムによる平面図作成画面の一例を示す図である。
【図３】建物設計用ＣＡＤシステムによる平面図作成画面の一例を示す図である。
【図４】室内機アイコンの配置例を示す図である。
【図５】室内機アイコンの配置禁止箇所および配置許可箇所を説明する図である。
【図６】室内機アイコンの配置禁止箇所および配置許可箇所を説明する図である。
【図７】室内機アイコンの配置禁止箇所および配置許可箇所を説明する図である。
【図８】室内機アイコンの配置禁止箇所および配置許可箇所を説明する図である。
【図９】室内機アイコンの配置禁止箇所および配置許可箇所を説明する図である。
【図１０】リターンガラリアイコンの配置例を示す図である。
【図１１】室内機アイコンとリターンガラリアイコンとの接続状態を説明する図である。
【図１２】リターンガラリアイコンの配置禁止箇所および配置許可箇所を説明する図である。
【図１３】リターンガラリアイコンの配置許可箇所を説明する図である。
【図１４】リターンガラリアイコンの配置禁止箇所および配置許可箇所を説明する図である。
【図１５】リターンガラリアイコンの配置禁止箇所および配置許可箇所を説明する図である。
【図１６】吹出口の天井および壁への配置例を示す図である。
【図１７】吹出口アイコンの天井への配置例を示す図である。
【図１８】吹出口を天井に配置する場合の設置例を示す斜視図である。
【図１９】吹出口を壁に配置する際の配置禁止箇所および配置許可箇所を説明する平面図である。
【図２０】分岐チャンバーアイコンの配置例を示す図である。
【図２１】ダクトスペース、室外機、パイプスペースの配置例を示す図である。
【図２２】内部回転ガラリの配置例を示す図である。
【発明を実施するための形態】
【００１９】
以下、図面を参照して本発明の実施の形態について説明する。なお、図１の紙面上において上が北、下が南、左が西、右が東とされている。
【００２０】
［ユニット式建物の説明］
図１において符号１は、ユニット式建物を示す。このユニット式建物１は、直方体状の建物ユニット２ａを複数組み合わせてなる建物本体２と、当該建物本体２の上部に設けられる屋根３とを備える。また、建物本体２には、複数の部屋全体の空調を行うための全館空調システムを設けてなる。
なお、当該ユニット式建物１は、顧客の要求に応じて設計される、所謂フリー設計によって建築される建物である。このようなフリー設計のユニット式建物１の場合、全館空調システムを構成する装置や部品等の構成要素（後述する）も各々の建物１ごとに異なる。すなわち、建物を購入する顧客（ユーザ）ごとに要求が異なるため、建築される建物の設計も異なる。したがって、全館空調システムの各構成要素の配置も当然異なる。
【００２１】
建物本体２は、複数の建物ユニット２ａを上下・左右・前後に組み合わせて形成されるものである。
建物ユニット２ａは金属製であり、直方体形状の骨組みを有し、この骨組みは、四隅に立設された柱と、これらの柱の上端間を連結する短辺天井梁および長辺天井梁と、四本の柱の下端間を連結する短辺床梁および長辺床梁とを備える。なお、図１において外壁２２や内壁２３の内部に表れる四角形状のものが建物ユニット２ａの柱２ｅとされている。
この骨組みには、天井材、床材、外壁材、内壁材（間仕切壁）等の各種部品が予め工場等で組み付けられ、その状態で現場に輸送される。また、工場等で予め組み付けられる各種部品としては、全館空調システムの各構成要素や、必要な電源線、通信線、各種配管等も含まれる。
【００２２】
屋根３は例えば勾配屋根であり、当該屋根３は、垂木や桁に相当する金属製のフレーム材を枠状に組んでなる枠体と、この枠体の上面に取り付けられる面材（野地板に相当）とを備える屋根パネル３ａによって構成されている。すなわち、本実施の形態の屋根３は、複数の屋根パネル３ａを、建物本体２の上部に傾斜させて設けることによって形成されている。
また、図５に示すように、建物本体２の上端部には屋根束３ｂ等の屋根用支持部材が複数設置され、複数の屋根パネル３ａは、当該複数の屋根用支持部材によって支持されている。また、図５（ｂ）に示すように、屋根束３ｂだけでなく、隣り合う屋根束３ｂ間にブレース３ｃが設けられる場合がある。
【００２３】
続いて、図１等を参照して、ユニット式建物１の間取りについて説明する。
間取りは、フリー設計を行う上で顧客からの特に要求が多いものであり、間取りに応じて建物自体の構造だけでなく、全館空調システムの各構成要素の配置箇所も適宜変更する必要が生じる。
【００２４】
一階には、複数の部屋等が配設されている。すなわち、まず南東側には玄関４が配設されている。玄関４の北側にはトイレ５が配設され、西側には和室６が配設されている。トイレ５の北側には、洗面脱衣所７および浴室８が配設され、西側には二階に通じる階段９ａのある階段室９が配設されている。和室６と、洗面脱衣所７および浴室８と、階段室９の西側には、リビング１０ａとダイニング１０ｂとキッチン１０ｃの機能を一室に併存させた部屋１０（以下、居室１０）が配設されている。和室６の西側と居室１０の南側とに位置する箇所は屋外であり、テラス１１とされている。
【００２５】
二階には、階段９ａを上がった先にホール１２が配設されている。ホール１２の南側には、テラス１１の上方に位置するバルコニー１３がある。階段９ａの南側とバルコニー１３の東側に位置する箇所に主寝室１４が配設され、この主寝室１４には、当該主寝室１４の北側と階段室９の東側に位置するウォークインクローゼット１４ａが付属して設けられている。ホール１２の東側には廊下１５および収納所１５ａがあり、さらにその先にはトイレ１６が配設されている。ホール１２と、廊下１５と、トイレ１６の北側には、収納家具によって間仕切り可能な子供部屋１７，１８が配設されている。
【００２６】
なお、一階の居室１０や二階の子供部屋１７，１８のように建物本体２内における大空間として利用される部屋については、建物ユニット２ａの柱２ｅを取り除いて大空間を形成する従来公知の柱抜き工法が採用される。例えば図１（ａ）に示す居室１０の場合は、柱抜き工法が採用されることによって、リビング１０ａとダイニング１０ｂとキッチン１０ｃとの境界領域（キッチン１０ｃの流し台付近）にあった四本の柱２ｅが取り除かれた状態となっている。
このように柱抜き工法を採用することによって、一階の居室１０および二階の子供部屋１７，１８を構成する複数の建物ユニット２ａの柱２ｅを取り外すことができるので、当該一階の居室１０および二階の子供部屋１７，１８を建物本体２内における大空間として確保できる。
【００２７】
また、建物本体２の上端部と屋根３との間には小屋裏空間３ｄが形成されている。このような小屋裏空間３ｄは、収納として使用してもよいし、全館空調システムにおける室内機やダクト等の配置スペースとしてもよい。
収納として使用する場合は、小屋裏空間３ｄに対して、例えば図９，図１３に示すような収納室３ｅが設けられる場合がある。当該収納室３ｅは、建物本体２の二階と行き来可能とされており、その天井高は０．９ｍ〜１．４ｍの範囲で適宜変更可能である。この０．９ｍ〜１．４ｍの天井高とは、人が前記収納室３ｅに入って、何とか作業ができる最低限の高さを確保するための高さ範囲であり、かつ、このように天井高を必要最小限に抑えることで、ユニット式建物１の高さが高くなることによって隣接する建物に及ぼす日照減少等の影響を極力少なくすることができる高さ範囲である。
【００２８】
また、建物本体２の一階と二階との間、すなわち一階に配置された複数の建物ユニット２ａと、二階に配置された複数の建物ユニット２ａとの間には、一階の天井懐となる天井裏空間２ｃが設けられる。このような天井裏空間２ｃは、本実施の形態では全館空調システムにおけるダクト等の配置スペースとして使用されるが、収納スペースとして使用してもよい。
【００２９】
建物ユニット２ａの骨組みには、上述のように、天井材や床材、外壁材、内壁材（間仕切壁）、電源線、通信線、各種配管等が組み付けられている。すなわち、複数の建物ユニット２ａを組み合わせて構築される建物本体２には、天井２０や床２１、外壁２２、内壁２３（間仕切壁）等の各種部品が適宜設けられている。
換言すれば、上述のような天井裏空間２ｃや小屋裏空間３ｄ、複数の部屋（玄関４〜子供部屋１８）は、天井２０や床２１、外壁２２、内壁２３、または屋根３によってその周囲を囲まれているものとする。
【００３０】
［建物設計用ＣＡＤシステムの説明］
以上のような建物本体２および屋根３の設計は、建物設計用ＣＡＤシステムによって行われる。建物設計用ＣＡＤシステムとは、顧客の要求に応じてユニット式建物１を設計する際に、その設計作業を支援するものである。
建物設計用ＣＡＤシステムには、図示はしないが、当該建物設計用ＣＡＤシステムの核となるコンピュータと、設計している階の平面図等を表示する表示装置と、コンピュータ等の操作を行うための入力装置と、設計した平面図等を製図するＸ−Ｙプロッタ装置と、設計した建物についてのデータ等を印字するプリンタとが設けられている。
【００３１】
また、コンピュータには、記憶装置であるハードディスク装置と、各種の処理を行う演算装置であるＣＰＵ等とを含んで構成されたものである。
このうち、ハードディスク装置には、記憶される情報の属性ごとに複数の記憶領域が設定されている。そして、当該ハードディスク装置には、建物本体２および屋根３の設計に必要な種々のデータやプログラムが記憶されている。例えば、建物ユニット２ａの大きさを表示する表示用データ等の寸法情報や、当該建物ユニット２ａを図面に描画するための描画用データ等が記憶されている。
また、全館空調システムの設計に必要な種々のデータやプログラムも記憶されているものとする。すなわち、配置禁止箇所Ａ１〜Ａ１１および配置許可箇所Ｂ１〜Ｂ１３に関するデータや、当該配置禁止箇所Ａ１〜Ａ１１および配置許可箇所Ｂ１〜Ｂ１３を図面上に設定するためのプログラム等が記憶されている。
【００３２】
建物設計用ＣＡＤシステムを利用してユニット式建物１を設計するにあたり、建物ユニット２ａの大きさをユニット式建物１全体の寸法との関係で表すために、規定寸法（例えば９１０ｍｍ）を１モジュール（Ｍ）とし、そのモジュール（Ｍ）に基づく寸法で建物ユニット２ａの設置基準となるユニットモジュール芯を設定して、ユニットモジュール芯に囲まれた矩形の各平面空間にそれぞれ建物ユニット２ａが一つずつ配置されるように設計していく。この際、平面空間の四隅に建物ユニット２ａの柱が位置するように各建物ユニット２ａを設計する。このように設定した建物ユニット２ａ内に内壁２３（間仕切壁）、階段９ａ、ドア等の各種部品を入力するにあたっては、建物ユニット２ａの内部平面にこれらの各種部品の設置位置の基準線となるグリッドを格子状に設定し、当該グリッドに沿って予め標準化した部品を配置するようにしている。
また、表示装置の表示画面Ｄ（例えば図２，図３参照）には、設計対象となるユニット式建物１に設けられる各種部品の設置位置の基準を示す補助線として、グリッドモジュール心線Ｇが表示される。グリッドモジュール心線Ｇは、当該ユニット式建物１の平面に格子状に設定されるとともに、互いに直交して複数の長方形を形成するものとなっている。そして、このグリッドモジュール心線Ｇは、所定ピッチ間隔（Ｐ）で並べられる。なお、１ＰはＭ／８に設定されている。
【００３３】
建物設計用ＣＡＤシステムによってユニット式建物１の平面図を作成する際には、まず、表示画面Ｄ上で、グリッドモジュール心線Ｇに基づいて、複数の建物ユニット２ａの配置を行う。なお、平面図の作成は、ユニット式建物１の一階から順に行われる。
また、複数の建物ユニット２ａのうち、屋外に面する箇所には外壁２２の入力作業を行う。また、顧客の要求する間取りに応じて内壁２３（間仕切壁）の入力作業を行う。さらに、階段９ａや窓等のサッシ、トイレ、流し台、ユニットバス等を始め、様々な部品や設備等の入力作業を行う。
以上のようにして、配置する建物ユニット２ａや各種部品等を、表示画面Ｄのグリッドモジュール心線Ｇに基づいて配置し、建物本体２の平面図を作成する。さらに、屋根３の設計も建物設計用ＣＡＤシステムによって作成することができる。すなわち、屋根パネル３ａやブレース３ｃ等を、表示画面Ｄのグリッドモジュール心線Ｇに基づいて配置し、屋根伏図を作成することができる。
【００３４】
なお、建物設計用ＣＡＤシステムは、ユニット式建物１の平面図だけでなく、立面図や縦断面図等も作成することができる。すなわち、本実施の形態の建物設計用ＣＡＤシステムは、平面図作成手段と、立面図作成手段と、断面図作成手段と、を備えており、当該建物設計用ＣＡＤシステムによって、ユニット式建物１の平面図（平断面図）と、立面図と、縦断面図とを作成することができる。
【００３５】
そして、このように各種図面が作成された段階で、全館空調システムを構成する構成要素３１〜４０の配置禁止箇所Ａ１〜Ａ１１および配置許可箇所Ｂ１〜Ｂ１３は判明しており、各種図面に対して、当該配置禁止箇所Ａ１〜Ａ１１および配置許可箇所Ｂ１〜Ｂ１３を設定することができる。すなわち、配置禁止箇所Ａ１〜Ａ１１および配置許可箇所Ｂ１〜Ｂ１３の各種図面への設定は、外壁２２や内壁２３の位置や天井高、屋根の傾斜角等を始めとするユニット式建物１の各種寸法情報を考慮し、全館空調システムの各種構成要素３１〜４０の配置が可能か否かという判断に基づいて行われる。
また、各種構成要素３１〜４０の配置の判断は、前記プログラムに基づいてコンピュータによって行われる。すなわち、建物設計用ＣＡＤシステムは、各種構成要素３１〜４０の配置の可否を判断する判断手段を備える。
さらに、後述するが、全館空調システム設計時に、表示画面Ｄ上で各種構成要素３１〜４０のアイコンＩＣ１〜ＩＣ１０を配置禁止箇所Ａ１〜Ａ１１に配置した場合に、配置禁止であることを示すマークや記号表記等を、表示画面Ｄ上に表示するようにしてもよい。すなわち、建物設計用ＣＡＤシステムは、各種構成要素３１〜４０の配置の可否の判断に基づいて、配置禁止を示すマークや記号表記等を表示する禁止マーク表示手段を備える。
【００３６】
［全館空調システムの説明］
続いて、全館空調システムの概略構成について説明する。
全館空調システムは、図１〜図２２に示すように、当該全館空調システムを構成する構成要素として、室内機３１と、リターンガラリ３２と、吹出口３３およびダクトスペース３４と、分岐チャンバー３５と、室外機３６と、リモコン３７ａ，３７ｂと、パイプスペース３８と、点検口３９と、内部回転ガラリ４０と、を有する。
このような構成の全館空調システムによれば、室内機３１から調整された空気を供給するとともに、複数の部屋（玄関４〜子供部屋１８）内の空気を室内機３１に環気できるので、建物本体２内に空気の循環経路を形成することができる。
また、この全館空調システムは、上述のように建物設計用ＣＡＤシステムによって設計される。
【００３７】
室内機３１は、室外機３６とセットで用いられるものであり、これら室内機３１と室外機３６とで空調ユニットを構成している。室内機３１は、空気調整機能を有し、かつ調整された空気を循環させるものであり、室外機３６は、外気との熱交換を行い、かつ室内機３１と接続されるものである。なお、室内機３１と室外機３６は、冷媒配管やドレン管、電源線等によって接続される。
建物設計用ＣＡＤシステムにおいては、室内機３１は、室内機アイコンＩＣ１として表示され、室外機３６は、室外機アイコンＩＣ６として表示される。すなわち、表示画面Ｄ上では、これら各アイコンＩＣ１，ＩＣ６がグリッドモジュール心線Ｇに基づいて適宜配置される。
なお、室内機３１を配置許可箇所（例えば配置許可箇所Ｂ１）に配置する際は、まず、室内機３１の荷重を受けるための補助床３１ｂが設けられ、その上に室内機３１が設けられる。当該補助床３１ｂは、２Ｍ×２Ｍの面積に設定されている。
また、本実施の形態において室内機３１は屋根３の小屋裏空間３ｄに設けられるが、部屋の領域内を利用して設けられるものとしてもよい。部屋の領域内としては、例えば部屋に隣接して設けられる低天井の収納室の上方空間等が挙げられる。また、当該上方空間とは、部屋の天井高と低天井収納室の天井高との差を利用して形成される空間を指す。
【００３８】
リターンガラリ３２は、空気の循環経路における吸気側に位置し、かつ部屋に露出するものである。さらに、当該リターンガラリ３２は、ボックス状の本体と、部屋に露出するガラリとを少なくとも備える。
リターンガラリ３２は、建物本体２内の空気が集まる箇所であるため、居室１０や主寝室１４、子供部屋１７，１８等には設けられず、ホール１２や廊下１５等のような共用部に露出して設けられる。また、リターンガラリ３２は、当該リターンガラリ３２と室内機３１とを接続するリターンダクト３２ａとセットで用いられる。
また、リターンガラリ３２は、表示画面Ｄ上で、リターンガラリアイコンＩＣ２として表示される。
【００３９】
吹出口３３は、空気の循環経路における給気側に位置し、かつ前記部屋に露出するガラリである。さらに、当該吹出口３３は、ボックス状の本体と、部屋に露出するガラリとを少なくとも備え、天井設置用３３ａと壁面設置用３３ｂとがある。天井設置用３３ａの場合は、後述する枠部３３ｄを介して建物ユニット２ａの各種天井梁２ｄに取り付けられる。
吹出口３３は、複数の部屋のうち、和室６や居室１０、主寝室１４、子供部屋１７，１８等にそれぞれ設けられる。さらに、熱気の溜まりやすい洗面脱衣所７等に設けられてもよい。また、吹出口３３は、当該吹出口３３と前記室内機３１とを接続する給気ダクト３４ａとセットで用いられる。
ダクトスペース３４は、周囲を壁で囲まれることによって形成されるものであり、外壁２２および内壁２３と同様に平面図に入力される。図１に示すように、平面視において、外壁２２または／および内壁２３を含んで角筒状に形成されている。このダクトスペース３４内には、給気ダクト３４ａが配置される。
また、吹出口３３は、表示画面Ｄ上で、吹出口アイコンＩＣ３として表示され、給気ダクト３４ａは、表示画面Ｄ上で、給気ダクトアイコンＩＣ４として表示される。
【００４０】
分岐チャンバー３５は、室内機３１によって調整された空気を分岐させるものであり、より具体的には、各部屋に向けて配管される給気ダクト３４ａと室内機３１とを接続するものである。なお、この分岐チャンバー３５と室内機３１は、中間ダクト３５ａによって接続されている。また、図示はしないが、それぞれの分岐チャンバー３５，３５には、給気ダクト３４ａが複数接続されている。
また、分岐チャンバー３５は、表示画面Ｄ上で、分岐チャンバーアイコンＩＣ５として表示される。
【００４１】
リモコン３７ａ，３７ｂは、部屋内の壁（すなわち、内壁２３）に設置されるものであり、全館空調システムのコントロールを行うことができる。また、リモコン３７ａはメインリモコンであり、リモコン３７ｂはサブリモコンである。また、メインリモコン３７ａは、例えば家族が集まる居室１０の内壁２３に設置され、サブリモコン３７ｂは、二階のホール１２の内壁２３に設置される。
なお、当該メインリモコン３７ａおよびサブリモコン３７ｂは、説明の便宜上、図１の平面図上に表示されているが、本来は、当該平面図に基づいて作成される電気配線図（図示せず）上に表示される。
また、メインリモコン３７ａは、表示画面Ｄ上で、メインリモコンアイコンＩＣ７ａとして表示され、サブリモコン３７ｂは、表示画面Ｄ上で、サブリモコンアイコンＩＣ７ｂとして表示される。
【００４２】
パイプスペース３８は、周囲を壁で囲まれることによって形成されるものであり、外壁２２および内壁２３と同様に平面図に入力される。図１に示すように、平面視において、外壁２２を含んで角筒状に形成されている。このパイプスペース３８内には、室内機３１と室外機３６とを接続する冷媒管（図示せず）、ドレン管（図示せず）、また電源線（図示せず）が配置される。
なお、パイプスペース３８は平面図上で壁の一部として表示されており、冷媒管や電源線等はアイコン表示されないものとする。
【００４３】
点検口３９は、屋根３の小屋裏空間３ｄに出入りするための開口部であり、天井２０に形成されている。また、内壁２３に形成されていてもよい。内壁２３に形成される場合は、点検口３９から小屋裏空間３ｄまで続く空洞が形成されているものとする。
また、天井２０に形成される点検口３９は、表示画面Ｄ上で、点検口アイコンＩＣ９として表示される。
【００４４】
内部回転ガラリ４０は、全館空調システムにおける空気の循環経路のうち環気経路（リターン経路）上に配置されるものであり、内壁２３に形成された開口部に回転可能に設けられている。すなわち、この内部回転ガラリ４０は、回転させて開口部を開放状態とすることによって通気可能とされ、回転させて開口部を閉塞状態とすることによって通気が遮断される構成となっている。
また、リターン経路上にドアがある場合は、例えば欄間付きドア（図示せず）等のように通気可能な構成のドアが採用される。
また、内部回転ガラリ４０は、表示画面Ｄ上で、回転ガラリアイコンＩＣ１０として表示される。
【００４５】
以上のような構成の全館空調システムによる空気の流れを説明すると、まず、調整された空気が室内機３１から分岐チャンバー３５へと送られる。
分岐チャンバー３５へと送られた空気は、当該分岐チャンバー３５に接続された複数の給気ダクト３４ａへと送られる。そして、給気ダクト３４ａを通過する空気は、吹出口３３から居室１０等の各部屋内に供給される。
各部屋内に供給された空気は、内部回転ガラリ４０や欄間を通過して、ホール１２や廊下１５等の共用部へと流れる。そして、当該共用部に設けられたリターンガラリ３２から室内機３１へと戻る。
【００４６】
［全館空調システムの設計方法］
次に、以上のような構成の全館空調システムの設計を行う方法について説明する。
まず、建物設計用ＣＡＤシステムによって作成したユニット式建物１の各種図面を表示画面Ｄ上に表示する。上述のように各種図面が作成された段階で、当該各種図面に対して、配置禁止箇所Ａ１〜Ａ１１および配置許可箇所Ｂ１〜Ｂ１３の設定が可能となるので、全館空調システムの設計を行う際には、当該配置禁止箇所Ａ１〜Ａ１１および配置許可箇所Ｂ１〜Ｂ１３を各種図面に対して設定しておく。
そして、各種図面上に対して全館空調システムの各種構成要素の位置を決定する。すなわち、室内機３１の位置の決定、リターンガラリ３２の位置の決定、吹出口３３およびダクトスペース３４の位置の決定、分岐チャンバー３５の位置の決定、室外機３６の位置の決定、メインリモコン３７ａおよびサブリモコン３７ｂの位置の決定、パイプスペース３８の位置の決定、点検口３９の位置の決定、を少なくとも行う。さらに本実施の形態においては内部回転ガラリ４０の位置の決定も行う。
【００４７】
室内機３１を示す室内機アイコンＩＣ１の、具体的な配置禁止箇所Ａ１〜Ａ６および配置許可箇所Ｂ１〜Ｂ６は、図４〜図９に示す通りである。
図４は、室内機３１を小屋裏空間３ｄに配置する場合における配置許可箇所Ｂ１を示している。補助床３１ｂは、上述のように２Ｍ×２Ｍのサイズに設定されており、室内機３１は、当該補助床３１ｂからはみ出さないように配置される。
また、室内機３１は、当該室内機３１の側面に設けられる電装ボックス３１ａを備えており、室内機３１は、補助床３１ｂに対して、電装ボックス３１ａ側に十分な作業スペースが形成されるようにして配置されている。
【００４８】
図５は、室内機３１を小屋裏空間３ｄに配置する場合において、室内機３１と、屋根３を支持する屋根束３ｂまたはブレース３ｃとの位置関係に基づく配置禁止箇所Ａ１，Ａ２および配置許可箇所Ｂ２を示している。
図５（ａ）の配置禁止箇所Ａ１は、屋根束３ｂのある位置であり、この位置には室内機３１および補助床３１ｂを設置することができない。したがって、室内機アイコンＩＣ１を配置できないため、配置禁止の箇所となっている。
図５（ｂ）の配置禁止箇所Ａ２は、ブレース３ｃのある位置であり、この位置には室内機３１および補助床３１ｂを設置することができない。したがって、室内機アイコンＩＣ１を配置できないため、配置禁止の箇所となっている。
図５（ｃ）の配置許可箇所Ｂ２は、複数の屋根束３ｂで囲まれた位置であり、この位置には室内機３１および補助床３１ｂを設置することができる。したがって、室内機アイコンＩＣ１を配置できるため、配置許可の箇所となっている。
【００４９】
図６は、室内機３１を小屋裏空間３ｄに配置する場合において、室内機３１と、給気ダクト３４ａとの位置関係に基づく配置禁止箇所Ａ３および配置許可箇所Ｂ３を示している。
図６（ａ）の配置禁止箇所Ａ３は、給気ダクト３４ａのある位置であり、この位置には室内機３１および補助床３１ｂを設置することができない。したがって、室内機アイコンＩＣ１を配置できないため、配置禁止の箇所となっている。
図６（ｂ）の配置許可箇所Ｂ３は、給気ダクト３４ａのある位置から離間した位置であり、この位置には室内機３１および補助床３１ｂを設置することができる。したがって、室内機アイコンＩＣ１を配置できるため、配置許可の箇所となっている。
【００５０】
図７，図８は、室内機３１を小屋裏空間３ｄに配置する場合において、室内機３１と、屋根３との位置関係に基づく配置禁止箇所Ａ４，Ａ５および配置許可箇所Ｂ４，Ｂ５を示している。
図７（ａ）の配置禁止箇所Ａ４は、室内機３１と、傾斜する屋根３とが干渉する位置であり、室内機３１の上方に十分な作業スペースを形成できない。したがって、室内機アイコンＩＣ１を配置できないため、配置禁止の箇所となっている。
図７（ｂ）の配置許可箇所Ｂ４は、室内機３１と、傾斜する屋根３とが干渉しない位置であり、室内機３１の上方に十分な作業スペースを形成できる。したがって、室内機アイコンＩＣ１を配置できるため、配置許可の箇所となっている。
図８の配置禁止箇所Ａ５は、室内機３１と、傾斜する屋根３とが干渉する位置であり、室内機３１の上方に十分な作業スペースを形成できない。したがって、室内機アイコンＩＣ１を配置できないため、配置禁止の箇所となっている。
図８の配置許可箇所Ｂ５は、室内機３１と、傾斜する屋根３とが干渉しない位置であり、室内機３１の上方に十分な作業スペースを形成できる。したがって、室内機アイコンＩＣ１を配置できるため、配置許可の箇所となっている。
また、室内機３１を配置するために最低限必要な一辺の間口の必要最小寸法は、図８に示すような両流れの勾配屋根３の場合には、配置許可箇所Ｂ５の寸法と、双方の配置禁止箇所Ａ５，Ａ５の寸法とを足した寸法に等しい。
【００５１】
図９は、室内機３１を小屋裏空間３ｄに配置する場合において、室内機３１と、屋根３と、小屋裏空間３ｄの収納室３ｅとの位置関係に基づく配置禁止箇所Ａ６および配置許可箇所Ｂ６を示している。
図９（ａ）の配置禁止箇所Ａ６は、室内機３１と、傾斜する屋根３とが干渉する位置であり、室内機３１の上方に十分な作業スペースを形成できない。また、収納室３ｅは収納スペースであり、室内機３１を配置できない。このため、図９（ｂ）に示すように、収納室３ｅの範囲を狭め、配置許可箇所Ｂ６を確保するように設計を行う。
【００５２】
また、図示はしないが、小屋裏空間３ｄの範囲（床面積）が補助床３１ｂの面積よりも狭い場合は、当該小屋裏空間３ｄ自体が配置禁止箇所となる。
小屋裏空間３ｄ内において補助床３１ｂに干渉する障害物がある場合には、当該障害物を避けた位置が配置許可箇所となる。例えば、小屋裏空間３ｄ内に突出する補強梁や、小屋裏空間３ｄ内に設けられる壁等が前記干渉するものとして挙げられる。
また、室内機３１だけでなく、当該室内機３１に接続されるリターンダクト３２ａや給気ダクト３４ａも、屋根束３ｂやブレース３ｃに干渉しないように考慮する必要がある。
さらに、室内機３１を収納室３ｅに隣接して配置する場合は、電装ボックス３１ａ側だけでなく、メンテナンス等に必要な作業スペースを確保する必要がある。
【００５３】
そして、以上のような室内機３１の室内機アイコンＩＣ１を、各種図面（ここでは平面図）に配置する際は、図１に示すように、まず、表示画面Ｄ上で、室内機アイコンＩＣ１の中心点（入力原点）となる配置基準点ｈ１を入力する。続いて、室内機アイコンＩＣ１の配置方向ｈ２を入力する。
続いて、補助床３１ｂの領域を入力する。すなわち、図２に示すように、補助床３１ｂの四つ角となる基準点ｈ１，ｈ２，ｈ３，ｈ４を入力する。補助床３１ｂの領域は、上述のように２Ｍ×２Ｍとなるように入力する。
以上のように入力することで、図１（ｂ）に示すように、ユニット式建物１の設計図上に室内機アイコンＩＣ１を入力することができる。
【００５４】
また、配置禁止箇所Ａ１〜Ａ６および配置許可箇所Ｂ１〜Ｂ６は、各種図面上に表示されないように設定されている。そして、室内機アイコンＩＣ１および補助床３１ｂの領域を入力する際に、その箇所が配置禁止箇所Ａ１〜Ａ６であった場合には、表示画面Ｄ上に、例えば「×印」等の禁止マークが禁止マーク表示手段によって表示される。また、このような配置の可否については、上述のように判断手段によって行われる。
【００５５】
なお、リターンガラリ３２のリターンガラリアイコンＩＣ２や吹出口３３の吹出口アイコンＩＣ３等を始めとする各種構成要素のアイコンの入力は、上述のような室内機アイコンＩＣ１および補助床３１ｂの領域の入力と同様に、中心点（入力原点）となる配置基準点ｈ１を入力したり、配置方向ｈ２を入力したり、領域の範囲を入力するようにして行うものとする。また、その際、配置許可箇所および配置許可箇所は、各種図面上に表示されず、アイコンＩＣ２〜ＩＣ１０の入力箇所が配置禁止箇所であった場合には、同様に、表示画面Ｄ上に、例えば「×印」等の禁止マークが禁止マーク表示手段によって表示される。このような配置の可否についても、同様に判断手段によって行われる。
したがって、以下では、リターンガラリ３２のリターンガラリアイコンＩＣ２や吹出口３３の吹出口アイコンＩＣ３等を始めとする各種構成要素３２〜４０のアイコンＩＣ２〜ＩＣ１０の配置禁止箇所Ａ７〜Ａ１１および配置許可箇所Ｂ７〜Ｂ１３や、各種構成要素３２〜４０の設置例について詳細に説明する。
【００５６】
リターンガラリ３２を示すリターンガラリアイコンＩＣ２の、具体的な配置禁止箇所Ａ７〜Ａ１１および配置許可箇所Ｂ７〜Ｂ１１は、図１０〜図１６に示す通りである。
図１０は、リターンガラリ３２のリターンガラリアイコンＩＣ２を、各種図面（ここでは平面図）に配置する位置を示している。すなわち、リターンガラリアイコンＩＣ２の配置許可箇所Ｂ７は、ホール１２や廊下１５等の共用部を構成する建物ユニット２ａの大きさの範囲内に収まるように設定されている。一方の配置禁止箇所Ａ７は、当該建物ユニット２ａの大きさの範囲を超えて、隣接する建物ユニット２ａとの境界部分を跨ぐような位置である。
また、当該建物ユニット２ａに対して内壁２３等が取り付けられる場合は、当該内壁２３等に干渉しない位置が配置許可箇所Ｂ７となる。
【００５７】
図１１，図１２は、リターンガラリ３２（リターンガラリアイコンＩＣ２）と、室内機３１（室内機アイコンＩＣ１）との位置関係を表している。
図１１に示すように、リターンガラリ３２と室内機３１とを接続するリターンダクト３２ａの長さの基準は５ｍ以上〜７．６ｍ以内に設定されている。すなわち、図１１におけるリターンガラリアイコンＩＣ２の配置禁止箇所Ａ８は、リターンダクト３２ａの長さの基準を逸脱する箇所であり、配置許可箇所Ｂ８は、リターンダクト３２ａの長さの基準に収まる箇所である。
より詳細に説明すると、リターンダクト３２ａは、リターンガラリ３２に対しては上方から接続され、室内機３１に対しては後側面から接続される。このため、図１２（ａ）に示すように、室内機３１とリターンガラリ３２との距離が近すぎる場合は、５ｍ以上〜７．６ｍ以内の長さに設定されたリターンダクト３２ａの接続ができない。すなわち、室内機３１の後側面直近の位置は、配置禁止箇所Ａ８に該当する。
一方、図１２（ｂ）に示すように、一定以上の間隔（例えば１．５Ｍ以上）を空ける場合には、５ｍ以上〜７．６ｍ以内の長さに設定されたリターンダクト３２ａであっても、リターンガラリ３２および室内機３１に対して接続できる（すなわち、配置許可箇所Ｂ８となる）。
また、図１２（ｃ）に示すように、リターンガラリ３２の位置を、室内機３１の後側面から左右側面側にずらす場合には、５ｍ以上〜７．６ｍ以内の長さに設定されたリターンダクト３２ａであっても、リターンガラリ３２および室内機３１に対して接続できる（すなわち、配置許可箇所Ｂ８となる）。
【００５８】
図１３は、リターンガラリ３２を小屋裏空間３ｄの収納室３ｅ近傍に配置する場合において、リターンダクト３２ａと、収納室３ｅとの位置関係に基づく配置許可箇所Ｂ９を示している。
すなわち、リターンガラリ３２に接続されたリターンダクト３２ａは、建物１の内側方向に取り回すため、リターンガラリ３２の近傍に収納室３ｅがある場合には、リターンダクト３２ａを配置するためのスペースを確保する必要がある。図１３では、リターンガラリ３２が、収納室３ｅから８Ｐ（ピッチ）以上離間した箇所に、リターンガラリ３２の入力原点（中心点）が位置するように配置されている。
【００５９】
図１４は、一側面視において台形に形成された所謂台形ユニット２ｂを含むユニット式建物１における配置禁止箇所Ａ９，Ａ１０および配置許可箇所Ｂ９を示している。
台形ユニット２ｂの内部に有効な天井高を確保するために、当該台形ユニット２ｂには水平な天井を設けにくいので、この台形ユニット２ｂにはリターンガラリ３２は配置されないように設定されている。すなわち、台形ユニット２ｂの場合はリターンガラリ３２を設けることが可能な天井懐を確保しにくいため、図１４（ａ）に示すように、台形ユニット２ｂ自体が配置禁止箇所Ａ９となっている。
図１４（ｂ）は、リターンガラリ３２を、台形ユニット２ｂおよび収納室３ｅの近傍に配置する場合において、リターンガラリ３２と、小屋裏空間３ｄとの位置関係に基づく配置禁止箇所Ａ１０を示している。すなわち、この場合、リターンガラリ３２を収納室３ｅから８Ｐ（ピッチ）以上離間した箇所に配置できないため、配置禁止の箇所となっている。
図１４（ｃ）は、リターンガラリ３２を、台形ユニット２ｂおよび収納室３ｅの近傍に配置する場合において、リターンガラリ３２と、小屋裏空間３ｄとの位置関係に基づく配置許可箇所Ｂ１０を示している。すなわち、この場合、リターンガラリ３２を収納室３ｅから８Ｐ（ピッチ）以上離間した箇所に配置できるため、配置許可の箇所となっている。
【００６０】
リターンガラリ３２を配置する際に、当該リターンガラリ３２の取付位置を、室内機３１の小屋裏空間３ｄへの搬入口とする場合がある。また一方、ホール１２や廊下１５等の共用部が外壁２２の近傍に配設される場合がある。このような場合に、図１５（ａ）に示すように、リターンガラリ３２に対してリターンダクト３２ａの接続は可能であっても、室内機３１が屋根３に干渉してしまい、小屋裏空間３ｄへの搬入ができない場合がある。換言すれば、小屋裏空間３ｄへの室内機３１の搬入ができない位置に対するリターンガラリ３２の配置はできないこととなる。すなわち、リターンガラリ３２の取付位置を室内機３１の搬入口とする場合において、当該室内機３１の搬入が不可となる場所は、配置禁止箇所Ａ１１とされている。
このような場合を解消するために、図１５（ｂ）に示すように、ホール１２や廊下１５等の共用部に隣接する部屋（例えば主寝室１４）のクローゼット１４ａ等の天井部にリターンガラリ３２を取り付けるようにし、当該リターンガラリ３２の直下を室内機３１の搬入口３２ｂとする方法が採られる。その結果、リターンガラリ３２の位置が外壁２２からある程度離間することになるので、当該リターンガラリ３２の取付位置は配置許可箇所Ｂ１１となる。
なお、この場合には、クローゼット１４ａの直上には着脱式の天板３２ｃが取り付けられる。また、クローゼット１４ａと、ホール１２や廊下１５等の共用部とを仕切る内壁２３には、リターンガラリ３２と天板３２ｃとの間の空間に通じる開口部３２ｄが形成される。
【００６１】
吹出口３３（天井設置用３３ａ、壁面設置用３３ｂ）と、ダクトスペース３４と、給気ダクト３４ａの設置例は、図１６〜図１９等に示す通りである。
図１６に示すように、吹出口３３のうち天井設置用３３ａの配置許可箇所Ｂ１２は、天井懐を確保できる箇所や小屋裏空間３ｄとされている。
吹出口３３のうち壁面設置用３３ｂの配置許可箇所Ｂ１３は、部屋の天井よりも低い位置にある下がり天井３３ｃの上方空間とされている。
ダクトスペース３４は、図１，図１６，図２１（ｂ）に示すように、また上述のように各種図面を作成する際に同時に作成されるものである。給気ダクト３４ａは、ダクトスペース３４内に配置されるとともに室内機３１に接続される（すなわち、小屋裏空間３ｄ内に配置される部分がある）。
【００６２】
図１７は、吹出口３３のうち天井設置用３３ａの吹出口アイコンＩＣ３を、各種図面（ここでは平面図）に配置する位置を示している。当該吹出口アイコンＩＣ３は、平面図に生成される入力グリッドに合わせて入力される。
なお、図示はしないが、天井設置用の吹出口３３の配置禁止箇所は、例えば、勾配天井等のように天井懐を確保できない天井面や、他の天井設置用設備の直近の位置とされている。
【００６３】
また、吹出口３３は、図１８に示すように、建物ユニット２ａの各種天井梁２ｄに対して取り付けられた枠部３３ｄを介して、建物ユニット２ａに取り付けられている。また、吹出口３３は、枠部３３ｄの範囲内で位置を微調整可能であるとともに、枠部３３ｄ自体を天井梁２ｄに沿って移動させることで位置調整が可能となっている。
【００６４】
図１９は、吹出口３３のうち壁面設置用３３ｂを下がり天井３３ｃの上方空間に配置する場合において、壁面設置用３３ｂの吹出口と、上方空間を形成する壁（外壁２２および／または内壁２３）との位置関係を考慮した設置例を示している。
図１９（ａ）においては、壁面設置用３３ｂの吹出口が、上方空間を形成する壁（外壁２２および／または内壁２３）に干渉しないように適切な向きで配置されている。一方、図１９（ｂ）においては、壁面設置用３３ｂの吹出口が、上方空間を形成する壁（外壁２２および／または内壁２３）に干渉した状態となっている。すなわち、下がり天井３３ｃの上方空間に設ける場合には、壁面設置用３３ｂの吹出口の向きが適切となるように配置する必要がある。
【００６５】
分岐チャンバー３５の設置例は以下の通りである。
分岐チャンバー３５は一階用と二階用とがあり、図１および図２０に示すように、それぞれ小屋裏空間３ｄ内に配置されている。すなわち、分岐チャンバー３５の配置許可箇所は小屋裏空間３ｄとなる。
また、分岐チャンバー３５と室内機３１とを接続する中間ダクト３５ａは、７．６ｍ以内に設定されており、小屋裏空間３ｄ内に配置されている。
【００６６】
室外機３６は、図１および図２１（ａ）に示すように、屋外に設置されるものであるため、敷地内であれば配置が許可される。
メインリモコン３７ａは、図１（ａ）に示すように一階の内壁２３に設けられ、サブリモコン３７ｂは、図１（ｂ）に示すように二階の内壁２３に設けられる。なお、これらメインリモコン３７ａおよびサブリモコン３７ｂは、熱等の外部負荷を受ける可能性があるため、外壁２２に設けることは禁止とされている。
【００６７】
パイプスペース３８は、図１，図２１に示すように、また上述のように各種図面を作成する際に同時に作成されるものである。
また、当該パイプスペース３８は、室内機３１と室外機３６とを接続する冷媒管等が配置されるため、図２１（ａ）に示すように、室外機３６の近傍に配置される。すなわち、室外機３６の近傍の位置が配置許可の箇所とされ、室外機３６からある程度離間する位置が配置禁止の箇所となっている。
なお、当該パイプスペース３８の上方に位置するダクトスペース３４は、上端部が小屋裏空間３ｄに通じているため、冷媒管等を配置するスペースとして兼用される。
【００６８】
点検口３９は、図１（ｂ）に示すように、また上述のように天井２０に形成された開口である。そして、小屋裏空間３ｄでのメンテナンス作業時等に利用されるため、小屋裏空間３ｄの領域内に形成されている必要がある。すなわち、小屋裏空間３ｄの領域内が配置許可の箇所となっており、領域外が配置禁止の箇所となっている。
【００６９】
内部回転ガラリ４０は、図１，図２２に示すように、また上述のように全館空調システムにおける空気の循環経路のうち環気経路（リターン経路）上に配置されるものであり、内壁２３に形成された開口部に回転可能に設けられている。すなわち、平面図においては内壁２３のある位置が、当該内部回転ガラリ４０の配置許可箇所となっており、それ以外が配置禁止箇所となっている。また、断面図においては、図２２に示すように天井２０付近の高さに内部回転ガラリ４０が配置されている。
なお、内部回転ガラリ４０の配置箇所は、平面図上では、図１に示すように「△」マークで指し示されている。
【００７０】
以上のような各種構成要素３１〜４０のアイコンＩＣ１〜ＩＣ１０を、各種図面に対して適宜入力する。このようにして全館空調システムの設計が行われる。そして、図１に示すような設計図（平面図）を作成することができる。
【００７１】
［建物ユニットの製造方法］
次に、作成された設計図に従って、建物本体２を構成する複数の建物ユニット２ａを製造する方法について説明する。
すなわち、工場では、作成された設計図に従って建物ユニット２ａの製造が行われる。その際、各種構成要素３１〜４０のうち、建物ユニット２ａに対して予め取付可能なものを、当該建物ユニット２ａに対して予め取り付けておく。
例えば、補助床３１ｂは、配置許可箇所Ｂ１を含む小屋裏空間３ｄを構成する建物ユニット２ａに予め取り付けておくことができる。
【００７２】
一方、各種構成要素３１〜４０のうち、建物ユニット２ａに対して予め取付不可能なものを、当該建物ユニット２ａの内部に収納するようにして予め提供しておく。
補助床３１ｂは、上述のように建物ユニット２ａに対して予め取り付けておくことができるが、室内機３１自体を予め取り付けてしまうと、建物ユニット２ａの上端部から上方に突出してしまうため、輸送が困難となる。このような場合は、室内機３１は、当該室内機３１が配置される建物ユニット２ａの内部に収納するようにして提供された状態で輸送される。または、この補助床３１ｂをパネル化して現場で設置するようにしてもよい。
なお、室内機３１まで延びる電源線は、図示はしないが、建物ユニット２ａに予め取り付けておくようにする。
【００７３】
リターンガラリ３２は、当該リターンガラリ３２が配置される建物ユニット２ａの内部に収納するようにして提供された状態で輸送される。
【００７４】
吹出口３３（３３ａ，３３ｂ）は、当該吹出口３３が配置される建物ユニット２ａの内部に収納するようにして提供された状態で輸送される。なお、枠部３３ｄは、建物ユニット２ａの天井梁２ｄに対して予め工場で取り付けておくようにする。
ダクトスペース３４配置箇所の上下は、予め工場で開口部を形成しておくようにする。
【００７５】
分岐チャンバー３５は、当該分岐チャンバー３５が配置される建物ユニット２ａの内部に収納するようにして提供された状態で輸送される。なお、当該分岐チャンバー３５を配置するために、図示しない床合板が用いられるが、当該床合板は、建物ユニット２ａに対して予め工場で取り付けておくようにする。
【００７６】
室外機３６は、屋外に配置されるものであるため、室外機３６単体で輸送されるか、近傍に配置される建物ユニット２ａの内部に収納するようにして提供された状態で輸送される。なお、室外機３６まで延びる電源線は、図示はしないが、当該室外機３６の近傍に配置される建物ユニット２ａに予め取り付けておくようにする。
【００７７】
メインリモコン３７ａおよびサブリモコン３７ｂは、当該メインリモコン３７ａおよびサブリモコン３７ｂが配置される建物ユニット２ａの内部に収納するようにして提供された状態で輸送される。なお、メインリモコン３７ａおよびサブリモコン３７ｂまで延びる電源線や通信線等は、図示はしないが、当該メインリモコン３７ａおよびサブリモコン３７ｂが配置される建物ユニット２ａに予め取り付けておくようにする。
【００７８】
パイプスペース３８配置箇所の上下は、図示はしないが、予め工場で開口部を形成しておくようにする。
点検口３９は、図示はしないが、予め工場で当該点検口３９となる開口部を形成しておくようにする。
内部回転ガラリ４０は、図示はしないが、予め工場で内壁２３に形成された開口部に取り付けておくようにする。
【００７９】
その他にも、予め工場で取り付けておくことができるものは、予め建物ユニット２ａに取り付けて現場に輸送する。取り付けできないものも、極力建物ユニット２ａの内部に収納するようにして提供された状態で現場に輸送することが好ましい。
図１に示す例において、矢印Ｙで指し示す位置の建物ユニット２ａの場合は、吹出口３３と、二つの内部回転ガラリ４０，４０が設けられる。上述のように吹出口３３は、枠部３３ｄを予め天井梁２ｄに取り付けておき、吹出口３３そのものは建物ユニット２ａ内部に収納する。また、内部回転ガラリ４０は、建物ユニット２ａに取り付けられる内壁２３（出入口上方の小壁等を含む）の開口部に予め取り付けておく。したがって、図１のＹ部における建物ユニット２ａには、外壁２２や内壁２３の他にも、枠部３３ｄや内部回転ガラリ４０等が取り付けられ、吹出口３３が収納されるようにして提供される。
現場では、このＹ部のような建物ユニット２ａを組み立ててユニット式建物１の施工が行われるので、その施工作業を容易に行うことができる。
【００８０】
なお、以上のような建物ユニット２ａの製造方法は、建築されるユニット式建物１ごとに異なるものとなる。すなわち、顧客の要求に応じてユニット式建物１を一つずつ設計するため、各種構成要素３１〜４０の配置位置も建築されるユニット式建物１ごとに異なるものとなる。
したがって、建築されるユニット式建物１ごとに、各アイコンＩＣ１〜ＩＣ１０が配置された箇所に対応した処理を適宜行うようにする。
【００８１】
本実施の形態によれば、建物設計用ＣＡＤシステムによって建物本体２および屋根３の設計図を作成した後、当該設計図上に、各種構成要素３１〜４０のアイコンＩＣ１〜ＩＣ１０をその種類ごとに配置禁止箇所Ａ１〜Ａ１１以外の箇所（すなわち、配置許可箇所Ｂ１〜Ｂ１３）に配置するだけで、全館空調システムの各種構成要素３１〜４０を、設計図上の適切な位置に配置することができる。これによって、フリー設計が行われる各々のユニット式建物１ごとに全館空調システムの各種構成要素の配置を考慮した設計を行うことができる。
また、設計段階において、各種構成要素３１〜４０を建物ユニット２ａのどこの位置に組み付ければよいかを予め判明させておくことができるので、工場等では各種構成要素３１〜４０の建物ユニット２ａへの組み付け位置を判明させる必要は無い。これによって、各種構成要素３１〜４０を、建物ユニット２ａのうちの当該組み付け位置に、特に迷うことなく容易に組み付けることができる。
したがって、フリー設計を行う場合であっても全館空調システムを容易に採用することが可能となる。
【００８２】
また、全館空調システムは、各種構成要素３１〜４０として、室内機３１と、リターンガラリ３２と、吹出口３３およびダクトスペース３４と、分岐チャンバー３５と、室外機３６と、リモコン３７ａ，３７ｂと、パイプスペース３８と、点検口３９と、内部回転ガラリ４０と、を有するので、フリー設計で建物本体２および屋根３の設計を行う際に、当該各構成要素３１〜４０の配置を考慮した設計を行うことができる。したがって、フリー設計を行う場合であっても全館空調システムを容易に採用することが可能となる。
【００８３】
また、配置禁止箇所Ａ１〜Ａ１１が、設計図上に表示されないように設定されているので、各種構成要素３１〜４０のアイコンＩＣ１〜ＩＣ１０を設計図上に配置する際に、当該配置禁止箇所Ａ１〜Ａ１１がその障害とならない。すなわち、配置禁止箇所Ａ１〜Ａ１１が表示されることによって設計図が見えにくくなることがないので、各種構成要素３１〜４０のアイコンＩＣ１〜ＩＣ１０を設計図上に配置しやすくなる。
【００８４】
また、各種構成要素３１〜４０のアイコンＩＣ１〜ＩＣ１０を設計図上に配置するにあたり、禁止マーク表示手段によって設計図上に、「×」等のマークが表示された場合に、各アイコンＩＣ１〜ＩＣ１０を、配置禁止箇所Ａ１〜Ａ１１以外の箇所（すなわち、配置許可箇所Ｂ１〜Ｂ１３）に配置するので、設計図上に配置禁止箇所Ａ１〜Ａ１１が表示されていない場合であっても、当該配置禁止箇所Ａ１〜Ａ１１であることを認識することができる。これによって、各種構成要素３１〜４０のアイコンＩＣ１〜ＩＣ１０を設計図上の適切な位置に配置することができる。
【００８５】
また、各種構成要素３１〜４０のうち、建物ユニット２ａに対して予め取付可能なものを、当該建物ユニット２ａに対して予め取り付けておくので、ユニット式建物１を施工する際に、現場での施工手間を省略することができる。
また、各種構成要素３１〜４０のうち、建物ユニット２ａに対して予め取付不可能なものを、当該建物ユニット２ａの内部に収納するようにして予め提供しておくので、ユニット式建物１を施工する際に、現場での施工手間を極力省略することができる。すなわち、建物ユニット２ａと予め取付不可能なものとを同時に輸送することができるとともに、現場では、予め取付不可能なものを取り出して建物ユニット２ａに取り付けるだけで済むので、現場での施工手間を極力省略することが可能となる。
【符号の説明】
【００８６】
１  ユニット式建物
２  建物本体
２ａ  建物ユニット
３  屋根
３ｄ  小屋裏空間
３１  室内機
３２  リターンガラリ
３３  吹出口
３４  ダクトスペース
３５  分岐チャンバー
３６  室外機
３７ａ  メインリモコン
３７ｂ  サブリモコン
３８  パイプスペース
３９  点検口
４０  内部回転ガラリ
Ａ１〜Ａ１１  配置禁止箇所
Ｂ１〜Ｂ１３  配置許可箇所
ＩＣ１  室内機アイコン
ＩＣ２  リターンガラリアイコン
ＩＣ３  吹出口アイコン
ＩＣ４  給気ダクトアイコン
ＩＣ５  分岐チャンバーアイコン
ＩＣ６  室外機アイコン
ＩＣ７ａ  メインリモコンアイコン
ＩＣ７ｂ  サブリモコンアイコン
ＩＣ９  点検口アイコン
ＩＣ１０  回転ガラリアイコン
【図１】
2015055123.tif 000003
【図２】
2015055123.tif 000004
【図３】
2015055123.tif 000005
【図４】
2015055123.tif 000006
【図５】
2015055123.tif 000007
【図６】
2015055123.tif 000008
【図７】
2015055123.tif 000009
【図８】
2015055123.tif 000010
【図９】
2015055123.tif 000011
【図１０】
2015055123.tif 000012
【図１１】
2015055123.tif 000013
【図１２】
2015055123.tif 000014
【図１３】
2015055123.tif 000015
【図１４】
2015055123.tif 000016
【図１５】
2015055123.tif 000017
【図１６】
2015055123.tif 000018
【図１７】
2015055123.tif 000019
【図１８】
2015055123.tif 000020
【図１９】
2015055123.tif 000021
【図２０】
2015055123.tif 000022
【図２１】
2015055123.tif 000023
【図２２】
2015055123.tif 000024